(57)【特許請求の範囲】
【請求項１】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ダミーエレメントが、前記ディテクタとしても作用する水晶モニタまたは表面弾性波ディテクタである、リソグラフィ装置。
【請求項２】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ダミーエレメントが、前記少なくとも第２の放射ビームの放射に対して少なくとも部分的に透明であり、前記少なくとも１つのダミーエレメントが、汚染受け表面のアレイを提供するように構築され、前記少なくとも第２の放射ビームの少なくとも一部が前記アレイのすべての前記汚染受け表面を少なくとも一度通過する、リソグラフィ装置。
【請求項３】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ダミーエレメントが、前記少なくとも第２の放射ビームの放射に対して少なくとも部分的に透明であり、互いに間隔を隔てた複数の汚染受け表面を提供するための複数の前記ダミーエレメントを備え、隣接するダミーエレメントの汚染受け表面が互いに向かい合って配置された、リソグラフィ装置。
【請求項４】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ダミーエレメントが少なくとも２つの放射反射器の間に配置され、該反射器が、前記第２の放射ビームの放射を前記ダミーエレメントを介して互いに向けて反射するようになされた、リソグラフィ装置。
【請求項５】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ダミーエレメントの前記汚染受け表面が、前記第２の放射ビームの実質的にすべての放射を反射するように構成された、リソグラフィ装置。
【請求項６】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ディテクタが電子を検出するように構築された、リソグラフィ装置。
【請求項７】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記モニタデバイスが、前記ダミーエレメントの温度を制御するための熱コントローラを備えた、リソグラフィ装置。
【請求項８】
前記熱コントローラが、前記ダミーエレメントの温度を複数のモニタ温度間で循環させるようになされた、請求項７に記載の装置。
【請求項９】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される第２の放射ビームを放出するように構成された少なくとも１つのエミッタと、前記ダミーエレメントの前記少なくとも１つの汚染受け表面が汚染されたかどうかを検出するように構築されかつ配置されたディテクタとを備えており、
前記ダミーエレメントの前記モニタ表面が、前記投影システムの放射受け表面の材料と同じ材料を含む、リソグラフィ装置。
【請求項１０】
リソグラフィ装置であって、
基板のターゲット部分に第１の放射ビームを投影するように構成された投影システムと、
前記装置の内部空間に存在する少なくとも１つの汚染種を検出するための少なくとも１つのモニタデバイスとを備え、
モニタデバイスは、
前記内部空間と接触する少なくとも１つの汚染受け表面を有する少なくとも１つのダミーエレメントと、
前記ダミーエレメントの前記汚染受け表面の少なくとも一部に投影される電子ビームまたはイオン化ビームを放出するように構成された少なくとも１つのエミッタと、
前記ダミーエレメントの前記少なくとも１つの汚染受け表面が汚染されたかどうかを検出するように構築されかつ配置されたディテクタとを備えている、
リソグラフィ装置。
【請求項１１】
前記ディテクタが、前記汚染受け表面への前記電子ビームまたはイオン化ビームの投影の結果として前記汚染受け表面により放出されおよび／または反射される二次電子またはイオンを検出するように構築された、請求項１０に記載の装置。
【請求項１２】
少なくとも第４の放射ビームを放出するように構成された少なくとも第２のエミッタをさらに備え、前記第４の放射ビームの波長と前記第２の放射ビームの波長が異なり、前記第４の放射ビームが同じく前記ダミーエレメントの前記汚染受け表面の少なくとも一部に投影され、ディテクタが、前記ダミーエレメントにより透過したおよび／または反射した前記第４の放射ビームの一部を受けるようになされ、前記少なくとも第４の放射ビームの放射が、可視光、赤外光、紫外光、深紫外光、極端紫外光およびマイクロ波放射の放射タイプからなるグループから選択される、請求項１０に記載の装置。
【発明の詳細な説明】
【技術分野】
【０００１】
[0001]  本発明は、汚染を検出するためのモニタデバイスを備えたリソグラフィ装置に関する。また、本発明は、汚染を検出するための装置および方法、ならびにデバイスを製造するための方法に関する。
【背景技術】
【０００２】
[0002]  リソグラフィ装置は、基板、一般的には基板のターゲット部分に所望のパターンを与えるマシンである。リソグラフィ装置は、たとえば集積回路（ＩＣ）の製造に使用することができる。その場合、マスクまたはレチクルとも呼ばれているパターニングデバイスを使用して、ＩＣの個々の層に形成すべき回路パターンが生成される。生成されたパターンが、基板（たとえばシリコンウェーハ）上のターゲット部分（たとえば部分的に１つまたは複数のダイが含まれている）に転送される。パターンの転送は、通常、基板の上に提供されている放射感応性材料（レジスト）の層への結像を介して実施される。通常、１枚の基板には、順次パターン化されるターゲット部分に隣接するネットワークが含まれている。知られているリソグラフィ装置には、パターン全体を１回でターゲット部分に露光することによってターゲット部分の各々が照射されるいわゆるステッパと、パターンを放射ビームで所与の方向（「スキャン」方向）にスキャンし、かつ、基板をこの方向に平行または非平行に同期スキャンすることによってターゲット部分の各々が照射されるいわゆるスキャナがある。パターンを基板に転写することによってパターニングデバイスから基板へパターンを転送することも可能である。
【０００３】
[0003]  装置の内部空間、たとえば真空空間の場合、通常、内部空間の汚染をモニタすることが望ましい。たとえば、リソグラフィプロセスに内部空間が使用される場合がそうであり、たとえばリソグラフィ装置が空間を備えている場合がそうである。その場合、リソグラフィプロセスを直ちに停止し、汚染に敏感な光学系が汚染によって役に立たなくなることを防止することができるよう、速やかに、好ましくは１秒の数分の１以内に汚染が検出されることが望ましい。たとえば、リソグラフィプロセスは、露光を停止することによって、放射源を停止することによって、および／または放射ビームの光路のシャッタを閉じることによって停止することができる。しかしながら、内部空間は、異なる分野、たとえば半導体産業全般、真空技術産業全般、宇宙技術などの分野に適用することも可能である。したがって本発明は、リソグラフィの分野以外の分野にも明確に適用することができる。
【０００４】
[0004]  米国特許出願公告第２００２／００８３４０９  Ａ１は、ＥＵＶリソグラフィデバイスおよびプロセスに関しており、水晶マイクロ波が測定デバイスとして使用されている。
【０００５】
[0005]  欧州特許出願公告第ＥＰ  １  ４５２  ８５１  Ａ１は、リソグラフィ装置のコンポーネントの表面の汚染を測定するための方法およびデバイスに関している。この測定デバイスは、前記表面の少なくとも一部に放射を投影するための放射トランスミッタデバイス、およびコンポーネントからの放射を受け取るための放射レシーバデバイスを有している。
【発明の開示】
【発明が解決しようとする課題】
【０００６】
[0006]  汚染の発生を比較的単純で、かつ、安価なモニタデバイスを使用して速やかに検出することができる、汚染をモニタするための改良型装置および方法が提供されることが望ましい。
【課題を解決するための手段】
【０００７】
[0007]  本発明の一態様によれば、基板のターゲット部分に第１の放射ビームを投影するように構成された投影システムを備えたリソグラフィ装置が提供される。リソグラフィ装置は、さらに、装置の内部空間に存在する少なくとも１つの汚染種を検出するための少なくとも１つのモニタデバイスを備えている。モニタデバイスは、前記内部空間と接触する少なくとも１つの汚染受け表面を有する少なくとも１つのダミーエレメントを備えている。少なくとも１つのモニタデバイスは、前記ダミーエレメントの汚染受け表面の少なくとも一部に投影される第２の放射ビームを放出するように構成された少なくとも１つのエミッタを備えている。また、モニタデバイスは、ダミーエレメントの少なくとも１つの汚染受け表面が汚染されたかどうかを検出するように構築されたディテクタを備えている。
【０００８】
[0008]  本発明の一態様では、基板のターゲット部分に第１の放射ビームを投影するように構成された投影システムを備えたリソグラフィ装置が提供される。リソグラフィ装置は、さらに、装置の内部空間に存在する少なくとも１つの汚染種を検出するための少なくとも１つのモニタデバイスを備えている。モニタデバイスは、前記内部空間と接触する少なくとも１つの汚染受け表面を有する少なくとも１つのダミーエレメントを備えている。少なくとも１つのモニタデバイスは、前記ダミーエレメントの汚染受け表面の少なくとも一部に投影される第２の放射ビームを放出するように構成された少なくとも１つのエミッタを備えている。前記ダミーエレメントは、前記少なくとも第２の放射ビームの放射に対して少なくとも部分的に透明である。モニタデバイスは、前記ダミーエレメントにより透過しおよび／または反射する前記第２の放射ビームの一部を受け取るようになされた第１のディテクタを備えることができる。
【０００９】
[0009]  本発明の一態様では、基板のターゲット部分に第１の放射ビームを投影するように構成された投影システムを備えたリソグラフィ装置が提供される。リソグラフィ装置は、さらに、装置の内部空間に存在する少なくとも１つの汚染種を検出するための少なくとも１つのモニタデバイスを備えている。モニタデバイスは、前記内部空間と接触する少なくとも１つの汚染受け表面を有する少なくとも１つの水晶モニタまたは表面弾性波ディテクタを備えている。少なくとも１つのモニタデバイスは、汚染受け表面の少なくとも一部に投影される第２の放射ビームを放出するように構成された少なくとも１つのエミッタを備えている。水晶モニタまたは表面弾性波ディテクタは、少なくとも１つの汚染受け表面が汚染されたかどうかを検出するように構成されている。
【００１０】
[0010]  本発明の一態様では、基板のターゲット部分に第１の放射ビームを投影するように構成された投影システムを備えたリソグラフィ装置が提供される。リソグラフィ装置は、さらに、装置の内部空間に存在する少なくとも１つの汚染種を検出するための少なくとも１つのモニタデバイスを備えている。モニタデバイスは、前記内部空間と接触する少なくとも１つの汚染受け表面を有する少なくとも１つのダミーエレメントを備えている。少なくとも１つのモニタデバイスは、前記ダミーエレメントの汚染受け表面の少なくとも一部に投影される電子ビームまたはイオン化ビームを放出するように構成された少なくとも１つのエミッタを備えている。モニタデバイスは、ダミーエレメントの少なくとも１つの汚染受け表面が汚染されたかどうかを検出するように構築されたディテクタを備えることができる。
【００１１】
[0011]  本発明の一態様では、パターンをパターニングデバイスから基板へ転送するようになされた、少なくとも１つの内部空間、たとえば真空を利用したリソグラフィ装置が提供される。装置は、前記基板への前記パターンの転送には関与していない、前記内部空間と接触する少なくとも１つのダミーエレメントを備えている。装置は、ダミーエレメントが前記内部空間から受け取る汚染を修正し、分解し、および／または検出するように作用する放射で前記ダミーエレメントを照射するための少なくとも１つの放射エミッタを備えている。
【００１２】
[0012]  本発明の一態様では、リソグラフィプロセスに使用される内部空間の汚染をモニタするための方法が提供される。この方法には、基板のターゲット部分への第１の放射ビームの転送には関与しない少なくとも１つのダミーエレメントを提供するステップが含まれている。ダミーエレメントの汚染受け表面が前記内部空間と接触し、何らかの汚染が存在している場合、前記内部空間から前記汚染を受け取る。汚染受け表面が前記汚染によって汚染されたかどうかがモニタされる。
【００１３】
[0013]  また、本発明の一態様によれば、基板のターゲット部分に第１の放射ビームを投影するように構成された多数の光学エレメントと、第２の放射ビームを放出するように構成された少なくとも１つの放射源と、前記複数の光学エレメントのうちの少なくとも１つの光学エレメントの少なくとも１つの表面部分に第２の放射ビームを導くように構成された放射ビームコントローラと、前記光学エレメントの前記少なくとも１つの表面部分と前記第２の放射ビームが相互作用することによって該表面部分から出力される電流を検出するように構成された少なくとも１つのディテクタとを備えたリソグラフィ装置が提供される。
【００１４】
[0014]  本発明の一態様によれば、光学エレメントの汚染をモニタするための方法が提供される。この方法には、電気モニタ電流をエレメント内に生成するために、前記光学エレメントの少なくとも１つの表面部分に放射のビームを投影するステップと、前記電気モニタ電流を測定するステップとが含まれている。
【００１５】
[0015]  本発明の一態様によれば、少なくとも１つの光学エレメントを備えた、基板のターゲット部分に第１の放射ビームを投影する投影システムを提供するステップと、電気モニタ電流をエレメント内に生成するために、前記光学エレメントの少なくとも１つの表面部分に放射の第２のビームを投影するステップと、前記電気モニタ電流を測定するステップとを含むリソグラフィデバイス製造方法が提供される。
【００１６】
[0016]  本発明の一態様では、少なくとも１つの光学エレメントの汚染をモニタするための方法が提供される。この方法には、光電効果によって電気モニタ電流をエレメント内に生成するために、前記光学エレメントの表面を放射のビームでスキャンするステップと、前記電気モニタ電流を測定するステップとが含まれている。
【００１７】
[0017]  さらに、本発明の一態様によれば、パターン化された放射のビームを多数の光学エレメントを利用して基板に投影するステップを含むデバイス製造方法が提供される。このデバイス製造方法には、電気モニタ電流をエレメント内に生成するために、前記光学エレメントの表面を放射の第２のビームでスキャンするステップと、前記電気モニタ電流を測定するステップとが含まれている。
【００１８】
[0018]  本発明の一態様によれば、光学ミラーエレメントの汚染をモニタするためのシステムは、放射ビームを放出するように構成された少なくとも１つの放射源と、前記複数の光学エレメントのうちの少なくとも１つの光学エレメントの表面の異なる位置に向けて放射ビームを導くように構成された放射ビームコントローラと、前記光学エレメントと前記第２の放射ビームが相互作用することによって前記光学エレメントから出力される電流を検出するように構成された少なくとも１つのディテクタとを備えている。
【００１９】
[0019]  本発明の一態様によれば、光学ミラーエレメントの汚染をモニタするためのシステムのプロセッサ上で走るように構成され、前記少なくとも１つのディテクタによって測定される電流の偏差または変化を検出するように構成され、および／または測定結果を処理および／または記憶するように構成されたコンピュータコード部分を備えたコンピュータプログラム製品が提供される。測定結果には、前記第２の放射ビームが前記光学エレメントに投射されている間に前記ディテクタによって測定される電流、および放射ビームを受け取る前記光学エレメントの前記表面部分の個々の位置が含まれている。
【００２０】
[0020]  以下、本発明の実施形態について、単なる例として、添付の略図を参照して説明する。図において、対応する参照記号は対応する部品を表している。
【発明を実施するための最良の形態】
【００２１】
[0030]  以下の説明においては、同じまたは同様の機能は、同じまたは同様の参照符号で参照されている。
【００２２】
[0031]  図１は、本発明の一実施形態によるリソグラフィ装置を略図で示したものである。この装置は、放射（たとえばＵＶ放射または他の放射）のビームを条件付けるように構成された照明システム（イルミネータ）ＩＬ、パターニングデバイス（たとえばマスク）ＭＡを支持するように構築された、特定のパラメータに従って該パターニングデバイスを正確に位置決めするように構成された第１のポジショナＰＭに接続された支持構造（たとえばマスクテーブル）ＭＴ、基板（たとえばレジストコートウェーハ）Ｗを保持するように構築された、特定のパラメータに従って該基板を正確に位置決めするように構成された第２のポジショナＰＷに接続された基板テーブル（たとえばウェーハテーブル）ＷＴ、およびパターニングデバイスＭＡによって第１の条件付け済み放射ビームＰＢに付与されたパターンを基板Ｗのターゲット部分Ｃ（たとえば１つまたは複数のダイが含まれている）に投影するように構成された投影システム（たとえば屈折型投影レンズシステム）ＰＳを備えている。
【００２３】
[0032]  照明システムは、放射を誘導し、成形し、あるいは制御するための、屈折光学コンポーネント、反射光学コンポーネント、磁気光学コンポーネント、電磁光学コンポーネント、静電光学コンポーネントまたは他のタイプの光学コンポーネント、あるいはそれらの任意の組合せなどの様々なタイプの光学コンポーネントを備えることができる。
【００２４】
[0033]  支持構造はパターニングデバイスを支持している。つまり、支持構造はパターニングデバイスの重量を支えている。支持構造は、パターニングデバイスの配向、リソグラフィ装置の設計および他の条件、たとえばパターニングデバイスが真空環境中で保持されているか否か等に応じた方法でパターニングデバイスを保持している。支持構造には、パターニングデバイスを保持するための機械式クランプ技法、真空クランプ技法、静電クランプ技法または他のクランプ技法を使用することができる。支持構造は、たとえば必要に応じて固定または移動させることができるフレームまたはテーブルであってもよい。支持構造は、パターニングデバイスをたとえば投影システムに対して所望の位置に確実に配置することができる。本明細書における「レチクル」または「マスク」という用語の使用はすべて、より一般的な「パターニングデバイス」という用語の同義語と見なすことができる。
【００２５】
[0034]  本明細書に使用されている「パターニングデバイス」という用語は、放射ビームの断面にパターンを付与し、それにより基板のターゲット部分にパターンを生成するべく使用することができる任意のデバイスを意味するものとして広義に解釈されたい。放射ビームに付与されるパターンは、たとえばそのパターンに位相シフト特徴またはいわゆるアシスト特徴が含まれている場合、基板のターゲット部分における所望のパターンに必ずしも厳密に対応している必要はないことに留意されたい。放射ビームに付与されるパターンは、通常、ターゲット部分に生成されるデバイス、たとえば集積回路などのデバイス中の特定の機能層に対応している。
【００２６】
[0035]  パターニングデバイスは、透過型であってもあるいは反射型であってもよい。パターニングデバイスの例には、マスク、プログラマブルミラーアレイおよびプログラマブルＬＣＤパネルがある。マスクについてはリソグラフィにおいては良く知られており、バイナリ、Ａｌｔｅｒｎａｔｉｎｇ位相シフトおよび減衰型位相シフトなどのマスクタイプ、ならびに様々なハイブリッドマスクタイプが含まれる。プログラマブルミラーアレイの例には、マトリックスに配列された、各々が入射する放射ビームが異なる方向に反射するよう個々に傾斜させることができる微小ミラーが使用されている。この傾斜したミラーによって、ミラーマトリックスで反射する放射ビームにパターンが付与される。
【００２７】
[0036]  本明細書に使用されている「投影システム」という用語は、使用する露光放射に適した、もしくは液浸液の使用または真空の使用などの他の要因に適した、屈折光学システム、反射光学システム、カタディオプトリック光学システム、磁気光学システム、電磁光学システムおよび静電光学システム、またはそれらの任意の組合せを含む任意のタイプの投影システムが包含されているものとして広義に解釈されたい。本明細書における「投影レンズ」という用語の使用はすべて、より一般的な「投影システム」という用語の同義語と見なすことができる。投影システムは、たとえば、いわゆる投影光学ボックスＰＯＢの中に配置することができる。
【００２８】
[0037]  図に示すように、この装置は、反射型（たとえば反射型マスクを使用した）タイプの装置である。別法としては、この装置は、透過型（たとえば透過型マスクを使用した）タイプの装置であってもよい。
【００２９】
[0038]  リソグラフィ装置は、２つ（デュアルステージ）以上の基板テーブル（および／または複数のマスクテーブル）を有するタイプの装置であってもよい。このような「マルチステージ」マシンの場合、追加テーブルを並列に使用することができ、あるいは１つまたは複数の他のテーブルを露光のために使用している間、１つまたは複数のテーブルに対して予備ステップを実行することができる。
【００３０】
[0039]  また、リソグラフィ装置は、基板の少なくとも一部が比較的屈折率の大きい液体、たとえば水で覆われ、それにより投影システムと基板との間の空間が充填されるタイプの装置であってもよい。また、リソグラフィ装置内の他の空間、たとえばマスクと投影システムとの間の空間に液浸液を適用することも可能である。液浸技法は、当分野では、投影システムの開口数を大きくすることで良く知られている。本明細書に使用されている「液浸」という用語は、基板などの構造を液体中に浸すことを意味しているのではなく、単に、露光の間、投影システムと基板との間に液体が置かれることを意味しているにすぎない。
【００３１】
[0040]  図１を参照すると、イルミネータＩＬは、条件付けされていない放射のビームを放射源ＳＯから受け取っている。放射源がたとえばエキシマレーザである場合、放射源およびリソグラフィ装置は、個別の構成要素にすることができる。このような場合、放射源は、リソグラフィ装置の一部を形成しているとは見なされず、放射のビームは、たとえば適切な誘導ミラーおよび／またはビームエキスパンダを備えたビームデリバリシステムを使用して放射源ＳＯからイルミネータＩＬへ引き渡される。それ以外のたとえば放射源が水銀灯などの場合、放射源はリソグラフィ装置の一構成要素にすることができる。放射源ＳＯおよびイルミネータＩＬは、必要に応じてビームデリバリシステムと共に放射システムと呼ぶことができる。
【００３２】
[0041]  イルミネータを使用して、放射源ＳＯによって放出される放射のビームを条件付け、所望する一様な強度分布をその断面に持たせることができる。イルミネータＩＬは、放射のビームの角度強度分布を調整するためのアジャスタを備えることができる。通常、イルミネータの瞳面内における強度分布の少なくとも外側および／または内側半径範囲（一般に、それぞれσ−ｏｕｔｅｒおよびσ−ｉｎｎｅｒと呼ばれている）は調整が可能である。また、イルミネータＩＬは、インテグレータおよびコンデンサなどの他の様々なコンポーネントを備えることができる。
【００３３】
[0042]  支持構造（たとえばマスクテーブルＭＴ）の上に保持されているパターニングデバイス（たとえばマスクＭＡ）に、条件付けされた第１の放射ビームＰＢが入射し、パターニングデバイスによってパターン化される。マスクＭＡを透過した第１の放射ビームＰＢは、第１のビームを基板Ｗのターゲット部分Ｃに集束させる投影システムＰＳを通過する。基板テーブルＷＴは、第２のポジショナＰＷおよび位置センサＩＦ２（たとえば干渉計デバイス、リニアエンコーダまたは容量センサ）を使用して正確に移動させることができ、それによりたとえば異なるターゲット部分Ｃをパターン化された第１の放射ビームＰＢの光路内に配置することができる。同様に、第１のポジショナＰＭおよびもう１つの位置センサＩＦ１を使用して、たとえばマスクライブラリから機械的に検索した後、またはスキャン中に、マスクＭＡを第１の放射ビームＰＢの光路に対して正確に配置することができる。通常、マスクテーブルＭＴの移動は、第１のポジショナＰＭの一部を形成しているロングストロークモジュール（粗動位置決め）およびショートストロークモジュール（微動位置決め）を使用して実現することができる。同様に、基板テーブルＷＴの移動は、第２のポジショナＰＷの一部を形成しているロングストロークモジュールおよびショートストロークモジュールを使用して実現することができる。ステッパの場合（スキャナではなく）、マスクテーブルＭＴは、ショートストロークアクチュエータのみに接続することができ、あるいは固定することも可能である。マスクＭＡおよび基板Ｗは、マスクアライメントマークＭ１、Ｍ２および基板アライメントマークＰ１、Ｐ２を使用して整列させることができる。図には専用ターゲット部分を占有している基板アライメントマークが示されているが、基板アライメントマークは、ターゲット部分とターゲット部分との間の空間に配置することも可能である（このような基板アライメントマークは、スクライブレーンアライメントマークとして知られている）。同様に、複数のダイがマスクＭＡ上に提供される場合、ダイとダイとの間にマスクアライメントマークを配置することができる。
【００３４】
[0043]  図に示す装置は、以下に示すモードのうちの少なくとも１つのモードで使用することができる。
【００３５】
[0044]  １．ステップモード：マスクテーブルＭＴおよび基板テーブルＷＴが基本的に静止状態に維持され、第１の放射ビームに付与されたパターン全体がターゲット部分Ｃに１回で投影される（すなわち単一静止露光）。次に、基板テーブルＷＴがＸ方向および／またはＹ方向にシフトされ、異なるターゲット部分Ｃが露光される。ステップモードでは、露光フィールドの最大サイズによって、単一静止露光で結像されるターゲット部分Ｃのサイズが制限される。
【００３６】
[0045]  ２．スキャンモード：第１の放射ビームに付与されたパターンがターゲット部分Ｃに投影されている間、マスクテーブルＭＴおよび基板テーブルＷＴが同期スキャンされる（すなわち単一動的露光）。マスクテーブルＭＴに対する基板テーブルＷＴの速度および方向は、投影システムＰＳの倍率（縮小率）および画像反転特性によって決まる。スキャンモードでは、露光フィールドの最大サイズによって、単一動的露光におけるターゲット部分の幅（非スキャン方向の幅）が制限され、また、スキャン運動の長さによってターゲット部分の高さ（スキャン方向の高さ）が決まる。
【００３７】
[0046]  ３．その他のモード：プログラマブルパターニングデバイスを保持するべくマスクテーブルＭＴが基本的に静止状態に維持され、第１の放射ビームに付与されたパターンがターゲット部分Ｃに投影されている間、基板テーブルＷＴが移動またはスキャンされる。このモードでは、通常、パルス放射源が使用され、スキャン中、基板テーブルＷＴが移動する毎に、あるいは連続する放射パルスと放射パルスとの間に、必要に応じてプログラマブルパターニングデバイスが更新される。この動作モードは、上で参照したタイプのプログラマブルミラーアレイなどのプログラマブルパターニングデバイスを利用しているマスクレスリソグラフィに容易に適用することができる。
【００３８】
[0047]  上で説明した使用モードの組合せおよび／またはその変形形態、あるいは全く異なる使用モードを使用することも可能である。
【００３９】
[0048]  図１に略図で示すように、装置の内部空間１１は、汚染をモニタするための少なくとも１つのモニタデバイス１０、１１０、２１０、３１０、４１０、５１０を備えることができる。モニタデバイス１０、１１０、２１０、３１０、４１０、５１０は、様々なデバイス位置に配置することができ、たとえば投影システムの中またはその近傍、投影光学ボックスＰＯＢの中、レチクルゾーンの中、基板ゾーンの中、イルミネータＩＬまたは装置の他の位置に配置することができる。
【００４０】
[0049]  内部空間１１は、たとえば真空チャンバの中に配置することができる。内部空間１１は、たとえば真空空間であってもよい。真空空間の真空は、たとえばリソグラフィ装置に使用される第１の放射ビームＰＢの放射のタイプに応じてその真空圧力を変化させることができる。別法としては、内部空間は、使用中、液浸流体が充填される液浸液空間であってもよい。また、少なくとも１つのモニタデバイス１０を備えた内部空間は、たとえば、同じくパターニング手段を備えた空間であっても、同じく基板サポートを備えた空間であっても、あるいは装置の他の空間であってもよい。また、内部空間の圧力は、大気圧であってもあるいは異なる圧力であってもよい。
【００４１】
[0050]  図２は、上で言及した汚染モニタデバイス１０の第１の実施形態を略図で示したものである。この実施形態は、汚染をモニタするための内部空間に配置することができ、たとえばリソグラフィ装置の内部、たとえば図１に示す装置の中または他の装置の中に配置することができる。
【００４２】
[0051]  モニタデバイス１０は、装置の内部空間１１に存在する少なくとも１つの汚染種を検出するように配置することができる。図２に示す実施形態では、モニタデバイスは、前記内部空間１１を備えたリソグラフィ投影光学ボックスＰＯＢの中に設置されている。この光学ボックスＰＯＢは、前記投影システムＰＳの少なくとも一部を含むことができる。また、この投影システムＰＳは、使用中、内部空間１１に接触させることができる。
【００４３】
[0052]  モニタデバイス１０は、少なくとも１つの汚染受け表面を有する少なくとも１つのダミーエレメント１を備えることができる。ダミーエレメント１は、リソグラフィプロセスの間、基板のターゲット部分への放射ビームの転送には直接関与していない。たとえば、上で言及した第１の放射ビームＰＢは、使用中、ダミーエレメント１に投影されないことが好ましい。モニタデバイスは、たとえば複数のダミーエレメント１を備えることができ（図２に示すように）、たとえば少なくとも２０個のダミーエレメント１またはそれ以外の数のダミーエレメント１を備えることができる。
【００４４】
[0053]  図２に示す実施形態では、ダミーエレメント１の各々は、実質的に装置の内部空間１１内を展開している。したがって、各々のダミーエレメント１の汚染受け表面は、使用中、前記内部空間１１と接触する。したがって、内部空間１１に汚染が存在している場合、使用中、各々のダミーエレメント１は、投影システムＰＳの汚染と同じ汚染によって汚染されることになる。
【００４５】
[0054]  モニタデバイス１０は、さらに、第２の放射ビーム９を放出するように構成された少なくとも１つのエミッタ２を備えることができる。この第２の放射ビーム９は、使用中、前記ダミーエレメント１の汚染受け表面の少なくとも一部に投影される。たとえば、この第２の放射ビーム９は、使用中、投影システムＰＳに投影されないことが好ましい（図２参照）。
【００４６】
[0055]  前記少なくとも第２の放射ビーム９の放射は、たとえば、可視光、赤外光、紫外光、深紫外光、極端紫外光およびマイクロ波放射の放射タイプからなるグループから選択することができる。放射は、たとえば、少なくとも１つの汚染種を第２の放射ビーム９に対する吸収性が改善された１つまたは複数の化合物に修正または分解するように選択することができる。第２の放射ビーム９の放射タイプは、たとえば装置の内部空間１１に炭化水素汚染が含まれている場合、前記ダミーエレメント１が炭化されるように選択することができる。たとえば、第２の放射ビーム９には、ダミーエレメント１を炭化させるより良好な検出可能物質に特定の炭化水素汚染を分解することができる紫外（ＵＶ）線を使用することができる。良好な炭化は、マイクロ波放射または電子ビーム放射の第２の放射ビーム９を使用することによっても達成することができる。
【００４７】
[0056]  また、少なくとも１つの汚染種の分解は、たとえば分解が照明中に投影ビームＰＢ内で生じる場合、同様のプロセスにすることができる。また、分解には継続的な効果を持たせることも可能であり、たとえば吸着を停止させ、かつ、汚染を継続させることができる。
【００４８】
[0057]  また、放射ビームは、可視光または赤外光のビームであってもよい。可視光または赤外光は、生成が比較的容易であり、かつ、安価な手段である。
【００４９】
[0058]  また、２つのビームを同時に使用することも可能であり、たとえば第１のビームを使用して汚染に反応させ、および／または汚染を修正し、第２のビームを使用して、反応し、および／または修正された汚染の効果を測定することができる。
【００５０】
[0059]  放射エミッタ２は、様々な方法で設計することができる。たとえば、放射エミッタは、レーザであっても、電子ビームエミッタであっても、あるいは異なるタイプの放射エミッタであってもよい。
【００５１】
[0060]  図２に示す実施形態では、各々のダミーエレメント１は、前記少なくとも第２の放射ビーム９の放射に対して少なくとも部分的に透明である。たとえば、各々のダミーエレメント１は、その放射に対して実質的に透明にすることができる。たとえば、ＩＲの場合、少なくとも１つのダミーエレメント１を、ガラス、透明プラスチック、水晶またはフッ化カルシウムなどで構築することができる。別法としては、使用中、前記ダミーエレメント１の前記汚染受け表面に、前記第２の放射ビームの実質的にすべての放射を反射させることも可能である。これについては、図３を参照して以下で説明する。
【００５２】
[0061]  各々のダミーエレメント１は、様々な形状にすることができる。たとえば各々のダミーエレメントは、ロッドのようなエレメントであっても、プレートのようなエレメントであっても、あるいは異なる形状のエレメントであってもよい。たとえば、図２の実施形態で示すように、前記ダミーエレメント１の各々の実質的に互いに反対方向に向かい合っている２つの表面は、使用中、汚染受け表面として作用することができる。
【００５３】
[0062]  本発明の一態様では、前記投影システムＰＳの放射受け表面の材料と同じ材料、つまり外側の材料が、各々のダミーエレメント１の前記モニタ表面に含まれている。その場合、各々のダミーエレメント１の各々の汚染受け表面は、特定の汚染タイプに対して、投影システムＰＳの表面の感度とほぼ同じ感度を有することができる。
【００５４】
[0063]  少なくとも１つのダミーエレメント１は、複数の汚染受け表面のアレイを提供するように構築することができ、使用中に少なくとも一度は前記少なくとも第２の放射ビームの少なくとも一部が前記アレイのすべての汚染受け表面を通過する。また、モニタデバイスは、互いに間隔を隔てた複数の汚染受け表面を提供している複数の前記ダミーエレメント１を備えることができる。隣接するダミーエレメントの汚染受け表面は、互いに反対側に配置することができる。
【００５５】
[0064]  図２に示す実施形態では、汚染モニタ１０は、上で言及したダミーエレメント１のアレイを備えている。このアレイは、複数の汚染受け表面のアレイを提供しており、複数の汚染受け表面の各々は、装置の前記内部空間１１と接触している。前記少なくとも第２の放射ビーム９の少なくとも部分９ｂは、使用中に少なくとも一度は前記アレイのすべての汚染受け表面を通過する。図２に示す実施形態では、汚染受け表面は、互いに実質的に平行に展開しているダミーエレメント１の外部表面によって形成されている。別法としては、たとえば、少なくとも多数の汚染受け表面を互いに非平行に展開させることも可能である。
【００５６】
[0065]  図２に示す実施形態を使用している間、第２の放射ビームの部分９ｂは、放射受け表面の各々を実質的に直角に通過し、個々のダミーエレメント１を通過する放射に短い光路長を提供している。したがって、ダミーエレメント１を通過する放射に透過率比の大きい透過率を提供することができる。別法としては、第２の放射ビームの部分９ｂは、１つまたは複数の放射受け表面を非直角に通過することも可能である。放射受け表面を非直角に通過することにより、汚染層に対するより高い感度を得ることができる。
【００５７】
[0066]  連続する複数の汚染受け表面を提供することにより（図２または３参照）、汚染モニタの汚染感度を著しく改善することができる。
【００５８】
[0067]  前記少なくとも第２の放射ビーム９の放射を前記ダミーエレメント１の前記汚染受け表面の少なくとも一部に向けて反射するようになされた少なくとも１つの放射反射器を提供することができる。単なる例にすぎないが、前記ダミーエレメント１は、少なくとも２つの放射反射器と放射反射器との間に配置することができ、反射器は、前記ダミーエレメント１を介して前記第２の放射ビームの放射を互いに向けて反射するようになされている。この場合、汚染感度を改善するために放射ビームの少なくとも一部を複数回にわたって汚染受け表面または前記少なくとも１つのダミーエレメントの表面に向けて通過させることができる。図２に示す実施形態では、２つの放射反射器３と５との間に複数のダミーエレメント１のアレイが配置されている。反射器３および５は、前記第２の放射ビームの放射を前記ダミーエレメント１を介して互いに向けて反射するようになされている。放射反射器３および５は、当業者には明らかなように、様々な方法で構成することができ、また、適切な様々な材料を使用して構築することができる。
【００５９】
[0068]  たとえば、ダミーエレメント１の一方の側と放射エミッタ２との間に配置されている第１の反射器３は、ダミーエレメント１から受け取る入射放射のほとんどを反射してダミーエレメント１に向けて戻すように構成することができる。ダミーエレメント１の反対側と第２のディテクタ６との間に配置されている第２の反射器５は、入射放射のごく一部を反射してダミーエレメント１に向けて戻し、残りのビーム部分９ｃを第２のディテクタ６に向けて透過させるように構成することができる。この場合、第２の反射器５は部分反射器である。
【００６０】
[0069]  モニタデバイスは、さらに、ダミーエレメントの少なくとも１つの汚染受け表面が汚染されたかどうかを検出するように構築されたディテクタを備えることができる。
【００６１】
[0070]  図２に示す実施形態は、第１の放射ディテクタ４および第２の放射ディテクタ６を備えている。第１の放射ディテクタ４は、前記第２の放射ビーム９の部分９ａが前記ダミーエレメント１を透過することなく、および／または前記ダミーエレメント１で反射することなく、直接前記第２の放射ビーム９の部分９ａを受け取るようになされている。第２のディテクタ６は、使用中、前記第２の放射ビームが前記ダミーエレメント１を透過した後の前記第２の放射ビームの一部を受け取るようになされている。たとえば、第２のディテクタ６は、複数のダミーエレメントのアレイに対して下流側に配置されており、第２の放射ビームが前記ダミーエレメント１の汚染受け表面を一度または複数回にわたって透過した後の前記第２の放射ビーム９ｃを受け取っている。使用中、第２のディテクタ６によって提供される放射検出の結果から、ダミーエレメント１を通過している間の第２の放射ビーム９の放射９ｂの吸収に関する吸収量を決定することができる。本明細書においては、たとえば、放射９ｂの吸収を決定することができ、その決定から汚染の量を決定することができる。別法としては、第２のディテクタ６の放射検出の結果から、放射の吸収がダミーエレメント１を通過している間に変化したかどうかを決定することも可能である。
【００６２】
[0071]  第１のディテクタ４および第２のディテクタ６の検出結果を互いに比較し、ダミーエレメント１を通過している間に吸収された第２の放射ビーム９の放射９ｂの量を決定することができ、あるいは入射する放射が変化したかどうかを決定することができる。第１のディテクタ６の結果は、たとえば第２のディテクタ４の検出結果に対する基準として使用することができる。また、たとえば装置の内部空間１１に汚染が未だ存在していない場合、第１のディテクタ４を使用して第２のディテクタ６を較正することができる。
【００６３】
[0072]  第１および第２のディテクタは、検出すべき放射のタイプに応じて様々な方法で構成することができる。たとえば、いずれか一方または両方のディテクタに少なくとも１つのフォトダイオードを持たせることができる。また、電子を検出するようにいずれか一方または両方のディテクタを構築することができる。また、上で言及した放射タイプのうちの１つまたは複数を検出するようにいずれか一方または両方のディテクタを設計することができる。
【００６４】
[0073]  また、装置は、第２の放射ビーム９を第１のビーム部分９ａおよび第２のビーム部分９ｂに分割するようになされたビームスプリッタ３を備えることができる。この実施形態では、ビームスプリッタ３および第１の放射反射器は互いに統合されている。たとえば、ビームスプリッタは、入射する第１のビーム部分９ａを第１の放射ディテクタ４に向けて導き、かつ、場合によっては第２のビーム部分９ｂをダミーエレメント１に最も近い汚染した放射受け表面に向けて導くことができる（図２参照）。
【００６５】
[0074]  また、モニタデバイス１０は、使用中、１つまたは複数のダミーエレメント１の温度を制御する熱コントローラ１３を備えることができる。熱コントローラ１３は、１つまたは複数のダミーエレメント１の温度を複数のモニタ温度間で循環させるように構成することができる。様々な方法で熱コントローラ１３を構築することができることは当業者には明らかであろう。熱コントローラは、たとえば１つまたは複数の電気加熱器、熱交換流体、熱パイプおよび／または他のタイプの温度制御デバイスを備えることができる。また、たとえば熱コントローラを使用して、異なるダミーエレメントを異なる一定温度に保持することができる。
【００６６】
[0075]  本発明の一態様では、リソグラフィプロセスの汚染をモニタするための方法には、基板のターゲット部分への放射ビームの転送には関与しない少なくとも１つのダミーエレメントを提供するステップが含まれている。
【００６７】
[0076]  以下、本発明の一実施例として、この方法について、図２に示す実施形態を参照して説明する。
【００６８】
[0077]  図２に示す実施形態を使用している間、ダミーエレメント１の汚染受け表面と内部空間１１が接触し、内部空間１１に汚染が存在している場合、内部空間１１から汚染を受け取る。次に、汚染受け表面が１つまたは複数の汚染種によって汚染されたかどうかがモニタされる。そのために、少なくとも１つの第２の放射ビーム９が放射エミッタ２によって放出される。第２の放射ビーム９は、短い放射パルスおよび／または他の任意の方法で連続的に放出される。放出された放射ビーム９は、エミッタ２の下流側でビームスプリッタ３によって、第１のディテクタ４に投影される第１のビーム部分９ａと、複数のダミーエレメント１のアレイに投影される第２のビーム部分９ｂとに分割される。第１のビーム部分９ａは、第１のディテクタ４によって検出される。
【００６９】
[0078]  第２のビーム部分９ｂは、第２の反射器デバイス５に向かって複数のダミーエレメント１のアレイを透過する。第２の反射器５は、入射する放射の一部を反射して第１の反射器３に向けて戻し、残りの放射部分９ｃを、放射を検出する第２の放射ディテクタ６へ透過させる。後者のビーム部分９ｃには、ダミーエレメント１を一度だけ通過した放射、また対向する２つの反射器３と５との間で反射し、したがってダミーエレメント１を複数回にわたって通過した放射が含まれている。したがって、第２の放射ビーム９の一部を複数回にわたってダミーエレメント１の汚染受け表面に投影することができ、その後でそのビーム部分が第２のディテクタ６によって検出される。
【００７０】
[0079]  使用中、ダミーエレメント１の汚染受け表面が実質的に汚染されない限り、第２の放射ディテクタ６は、一定の第１の量の放射を検出することになる。ダミーエレメントの多くの表面が汚染されると、第２の放射ディテクタ６によって放射の変化が検出され、それにより警報または他のアクションがトリガされる。また、たとえば第１のディテクタ４の信号と第２のディテクタ６の信号との間の一定の比率を使用して警報をトリガし、および／または他のアクションをトリガすることも可能である。
【００７１】
[0080]  複数のダミーエレメント１を使用して第２の放射ビームを透過させる場合、ダミーエレメント１の放射受け表面の放射吸収に対する蓄積効果のため、汚染を速やかに検出することができる。その場合、たとえば汚染が投影システムＰＳに重大な害を及ぼす前の早い段階で汚染を検出することができる。汚染モニタ１０は、汚染の存在を検出すると、警報、リソグラフィプロセスの自動停止および／または第１の放射ビームＰＢの自動放出停止をトリガすることができる。したがって、第１の放射ビームＰＢが投影システムＰＳの汚染された部品を照射することによる投影システムの損傷を防止することができる。
【００７２】
[0081]  たとえば、少なくとも２０個のダミーエレメント１が提供されている場合、少なくともその２倍、つまり少なくとも４０個の汚染受け表面を利用することができ、汚染受け表面を１つしか使用しない場合と比較すると、蓄積感度が４０倍に改善される。
【００７３】
[0082]  複数のダミーエレメント１のアレイを介した放射透過率の変化の検出は、第１の放射ディテクタ４の検出結果を使用して達成することができ、あるいは第１の放射ディテクタ４の検出結果を使用しなくても達成することができる。第１の放射ディテクタ４の結果を使用することにより、信頼性の高い汚染モニタリングが提供される。
【００７４】
[0083]  炭化水素汚染は、投影システムＰＳの光学系にとっては比較的有害である。したがって、炭化水素汚染が投影システムＰＳの部品を炭化して（たとえば第１の放射ビームＰＢの影響下で）システムに害を及ぼす前に、このような炭化水素汚染を速やかに検出することが望ましい。
【００７５】
[0084]  本発明の一態様では、前記汚染受け表面またはその近傍に存在している汚染が前記第２の放射ビーム９によって修正および／または分解される。たとえば、適切な分解放射タイプが使用されることを条件として、放射ビーム９によって炭化水素を分解することができる。また、各々のダミーエレメント１の前記モニタ表面は、前記投影システムＰＳの放射受け表面の材料と同じ材料を含むことができる。この場合、１つまたは複数のダミーエレメント１の複数の汚染受け表面を提供することにより、装置の内部空間１１に存在する炭化水素によってこれらの表面が炭化される。複数の汚染受け表面の炭化の蓄積効果は、比較的早い段階で検出することができ、たとえば投影システムＰＳの表面が過度に炭化され、投影システムの洗浄または修理が余儀なくされる前に検出することができる。本発明の一実施形態では、投影システムＰＳの放射源ＳＯをスイッチオンする前に、第２の放射ビームをターンオンすることができる。したがって、ダミーエレメント１を介した放射透過率の変化が検出されない場合にのみ、投影システムＰＳの放射源ＳＯを安全にスイッチオンすることができる。
【００７６】
[0085]  また、汚染モニタ１０を使用して他の汚染タイプを検出することも可能であり、たとえば水を検出することができる。
【００７７】
[0086]  たとえば、前記ダミーエレメント１の温度は、特定の温度に制御することができる。前記ダミーエレメント１の温度は、複数のモニタ温度間で循環させることができ、たとえば特定の汚染が１つまたは複数の汚染受け表面に凝縮するモニタ温度で少なくとも制御することができる。本発明の一態様では、パターン化された放射ビームを基板のターゲット部分に転送する投影システムの使用がリソグラフィプロセスに含まれており、前記ダミーエレメントの前記モニタ表面には、前記投影システムの放射受け表面の材料と同じ材料が含まれている。この場合、投影システムに対する汚染の望ましくない影響は、すべて、ダミーエレメントを介して検出することができる汚染の影響と実質的に同じである。これは、ダミーエレメントを、リソグラフィプロセスの間、装置に存在する望ましくない種をモニタするための有用なインディケータにしている。
【００７８】
[0087]  図３は、本発明の一実施形態を示したものであるが、少なくとも１つのダミーエレメント１０１が実質的に第２の放射ビーム１０９のすべての放射を反射するようになされている点で図２に示す実施形態とは異なっている。また、前記ダミーエレメントの前記汚染受け表面は、使用中、実質的に第２の放射ビーム１０９のすべての放射を反射している。ディテクタ１０６は、第２の放射ビーム１０９が前記ダミーエレメントの汚染受け表面で少なくとも一度反射した後の前記第２の放射ビーム１０９を受け取るようになされている。
【００７９】
[0088]  図３に示す実施形態では、ダミーエレメント１０１は、それぞれ汚染受け表面を提供する、対向する２つのダミー反射表面を備えている。これらの汚染受け表面は、使用中、装置の内部空間１１と接触する。使用中、第２の放射ビーム１０９は、図３に示すように、２つのダミー反射表面の間で複数回にわたって反射する。たとえば、第２の放射ビーム１０９は、第２の放射ビーム１０９が放射ディテクタ１０６によって検出される前に、２つの反射表面の各々で少なくとも２０回反射させることができる。この方法によれば、放射ビーム１０９は、汚染受け表面で少なくとも４０回反射するため、これらの表面が受け取った汚染によって第２の放射ビームが蓄積的に影響される。したがって、望ましいことには、汚染モニタ１１０の感度が改善される。
【００８０】
[0089]  本発明の一態様では、装置は、第３の放射ビームを放出するように構成された少なくとも第２のエミッタを備えている。第３の放射ビームの波長は、第２の放射ビームの波長とは異なっていてもよい。また、第３の放射ビームは、使用中、前記ダミーエレメントの汚染受け表面の少なくとも一部に投影され、とりわけ前記汚染種が前記第２の放射ビームの放射の吸収性が改善された１つまたは複数の化合物に修正または分解される。
【００８１】
[0090]  たとえば、第２の放射ビームを汚染受け表面に投影して汚染を検出することができる。第２の放射ビームの放射タイプは、とりわけ汚染受け表面を比較的単純にモニタリングすることができるように選択することができる。たとえば、第２の放射ビームは、可視光の光ビーム、レーザビームまたは適切な他の放射ビームであってもよい。
【００８２】
[0091]  図４は、一実施形態を示したもので、上で言及した第３の放射ビーム２１９を放出するための放射エミッタ２１２がさらに提供されている。第３の放射ビーム２１９は、少なくとも１つのダミーエレメント２０１の汚染受け表面に投影される（図４にはこのようなエレメントが１つだけ示されている）。第３のビーム２１９の放射のタイプは、とりわけ少なくとも１つの種を前記第２の放射ビームの放射の吸収性が改善された１つまたは複数の化合物に修正または分解するように選択することができる。たとえば、第３の放射ビームは、炭化水素を分解することができる放射タイプのビームであってもよい。
【００８３】
[0092]  使用中、第２の放射ビーム２０９は、それぞれの放射エミッタ２０２によって放出され、ダミーエレメント２０１の汚染受け表面にも投影される。この実施形態では、第２の放射ビームは、適切な放射ディテクタ３０６に向かってダミーエレメント２０１を透過する。別法としては、適切な放射ディテクタ（図示せず）に向けてダミーエレメントで第２の放射ビームを反射させることも可能である。第２の放射ビームを検出することによって、たとえば第２の放射ビームの影響下でダミーエレメント２０１の放射受け表面に固定された化合物によって、その表面が汚染されているかどうかを評価することができる。
【００８４】
[0093]  本発明の一態様では、前記ダミーエレメントは、水晶モニタまたは表面弾性波ディテクタである。このような水晶モニタまたは波ディテクタは、その汚染受け表面が汚染されたかどうかをモニタすることもできる。
【００８５】
[0094]  図５は、水晶モニタ３０１を備えた汚染モニタデバイス３１０の一実施形態を略図で示したものである。別法としては、デバイスは、水晶モニタの代わりに表面弾性波ディテクタを備えることも可能である。
【００８６】
[0095]  図５に示す実施形態の水晶モニタ３０１は、使用中、装置のモニタすべき内部空間１１と接触する少なくとも１つの汚染受け表面を有している。モニタデバイス３１０は、第２の放射ビーム３０９を放出するように構成された少なくとも１つのエミッタ３０２を備えている。第２の放射ビーム３０９は、使用中、水晶モニタ３０１の汚染受け表面の少なくとも一部に投影される。水晶モニタ３０１は、少なくとも１つの汚染受け表面が汚染されたかどうかを検出することができる。図５に示す実施形態では、前記ダミーエレメントは水晶モニタであり、ダミーエレメント／水晶モニタは、使用中、前記ディテクタとしても作用している。第２の放射ビーム３０９は、たとえば、とりわけ少なくとも１つの種を１つまたは複数の化合物に修正または分解するように選択することができる。たとえば、第２の放射ビーム３０９は、炭化水素を分解し、たとえば汚染を水晶モニタ３０１上に炭化させることができる放射タイプのビームであってもよい。本発明の一実施形態では、水晶モニタ３０１を使用して正確に測定するために、一定の測定周期で第２の放射ビーム３０９をスイッチオフすることができる。
【００８７】
[0096]  図６は、汚染モニタデバイスの第５の実施形態を略図で示したものである。図６に示す実施形態では、リソグラフィ装置は、少なくとも１つの汚染種を検出するように構成された少なくとも１つのモニタデバイス４１０を備えている。モニタデバイスは、少なくとも１つの汚染受け表面を有する少なくとも１つのダミーエレメント４０１を備えている。汚染受け表面は、使用中、前記装置の内部空間１１と接触する。少なくとも１つのモニタデバイスは、使用中、前記ダミーエレメント４０１の汚染受け表面の少なくとも一部に投影される電子ビーム４０９を放出するように構成された少なくとも１つのエミッタ４０２を備えている。電子ビーム４０９は、たとえば炭化水素汚染をダミーエレメント４０１の表面に分解することができる。
【００８８】
[0097]  モニタデバイスは、さらに、ダミーエレメントの少なくとも１つの汚染受け表面が汚染されたかどうかを検出するように構築された電子ディテクタ４０６を備えている。ディテクタ４０６は、たとえば、前記汚染受け表面への前記電子ビームの投影の結果として前記汚染受け表面から放出され、かつ／または前記汚染受け表面で反射する二次電子４２０を検出するように構築することができる。電子ディテクタ４０６によって検出される二次電子４２０の量は、ダミーエレメント４０１上に存在する汚染の指示として使用することができる。
【００８９】
[0098]  別法としては、たとえば電子ビームエミッタ４０２および電子ディテクタ４０６の代わりに、イオン化ビームを放出するようにエミッタを構成し、かつ、ディテクタにイオンディテクタを使用することも可能である。たとえば、エミッタはＥＵＶビームエミッタであってもよい。また、ディテクタは、前記汚染受け表面への前記イオン化ビームの投影の結果として前記汚染受け表面から放出され、かつ／または前記汚染受け表面で反射するイオンを検出することができるイオンディテクタであってもよい。
【００９０】
[0099]  また、装置は、第４の放射ビーム４１９を放出するように構成された少なくとも第２のエミッタ４１２を備えることができる。第４の放射ビームの波長は、第２の放射ビームの波長とは異なっている。第４の放射ビームも、使用中、前記ダミーエレメントの汚染受け表面の少なくとも一部に投影される。もう１つのディテクタ４１６は、使用中、前記ダミーエレメント４０１を透過し、および／または前記ダミーエレメント４０１で反射する前記第４の放射ビーム４１９の一部を受け取るようになされている。前記少なくとも第４の放射ビーム４１９の放射は、可視光、赤外光、紫外光、深紫外光、極端紫外光およびマイクロ波放射の放射タイプからなるグループから選択することができ、あるいは他の放射タイプから選択することができる。もう１つのディテクタ４１６は、第４の放射ビーム４１９を検出し、放射吸収の変化を測定することができる。もう１つのディテクタ４１６によって検出される第４の放射ビームの放射の量も、ダミーエレメント４０１上に存在する汚染の指示として使用することができる。
【００９１】
[00100]  また、本発明の一態様によれば、汚染変換、たとえば吸収したＣｘＨｙ分子のたとえば炭化をもたらす全く異なるデューティサイクルの前記第２、第３および／または第４の放射ビームを使用して、モニタデバイス１０、１１０、２１０、３１０、４１０の感度を改善することができる。たとえば、第２、第３または第４の放射ビームとして連続放射源を使用する場合、パルス化された第１の放射ビームと比較すると、いくつかの汚染種（揮発種）の反応および／または修正プロセスが改善される。
【００９２】
[00101]  本発明の他の態様では、リソグラフィ装置は、図１および７に略図で示すように、汚染をモニタするための少なくとも１つのモニタシステム５１０を備えることができる。モニタシステム５１０は、投影システムＰＳの少なくとも１つの光学エレメントＰＳＭの汚染をモニタするように構成することができる。光学エレメントＰＳＭは、リソグラフィ装置の内部空間１１の中またはその近傍に配置されている。光学エレメントＰＳＭは、たとえば、リソグラフィプロセスの間、前記第１の放射ビームＰＢを受け取るミラーであってもよい。たとえば、前記ミラーＰＳＭは、前記第１の放射ビームＰＢを反射するための少なくとも１つのミラー表面を備えている。このモニタシステム５１０の部品は、装置の様々な位置に配置することができ、たとえば投影システムの中またはその近傍、投影光学ボックスＰＯＢの中、イルミネータＩＬの中または装置の他の位置に配置することができる。
【００９３】
[00102]  図７に示すように、本発明の一態様では、汚染モニタシステム５１０は、第２の放射ビーム５４３を放出するように構成された少なくとも１つの第２の放射源５４０、第２の放射ビーム５４３を前記光学エレメントＰＳＭの表面の異なる表面部分５４５に向けて導くように構成された放射ビームコントローラ５４２、および表面部分５４５が前記第２の放射ビーム５４３を受け取ると、前記光学エレメントＰＳＭの前記表面部分５４５から出力される電流を検出するように構成された少なくとも１つの電流ディテクタ５４７を備えることができる。たとえば、電流は、光電効果によって光学エレメントＰＳＭに生じさせることができる。
【００９４】
[00103]  第２の放射源５４０は、様々な方法で設計することができる。たとえば、第２の放射源５４０は、光子ビーム、電磁ビームまたは電子ビームを放出するように構成することができる。本発明の一態様では、前記第２の放射源５４０は、少なくとも２ｅＶ以上の放射エネルギーを有する第２の放射ビームを放出するように構成されている。この放射エネルギーは、それぞれ個々の光子または電子のエネルギーである。たとえば、前記放射源は、約２ｅＶ〜３０ｅＶの範囲の放射エネルギーを有する第２の放射ビームを放出するように構成することができる。
【００９５】
[00104]  また、たとえば第２の放射ビームは、第２の放射ビームが光学エレメントＰＳＭからの材料の除去（たとえばスパッタリングのような）の原因にならないエネルギーの放射ビームにすることができる。したがって、比較的安価で、生成が容易で、かつ、容易に制御することができる放射源５４０を使用して、比較的エネルギーが小さい放射を生成することができる。たとえば第２の放射源５４０は、レーザ、１つまたは複数のランプ、あるいは適切な他のタイプの放射源であってもよい。上で言及した約２ｅＶのエネルギーは、約６００ｎｍの光子波長に対応している。したがって、図７に示す第６の実施形態では、約６００ｎｍの波長またはそれより短い波長の第２の放射ビームを使用することができる。たとえば第２の放射ビーム５４３は、ＥＵＶ光より長い波長を有している。この第２の放射ビーム５４３は、たとえば、１つまたは複数の光ファイバ５４１、５４４などの比較的単純なビームステアリングデバイスおよび／またはビームトランスポーティングデバイスおよび他のデバイスを使用して制御することができる。
【００９６】
[00105]  図７に示す本発明の実施形態では、第１の放射誘導デバイス５４１は、第２の放射ビームを第２の放射源５４０から放射ビームコントローラ５４２へ導くために提供されている。この第１の放射誘導デバイス５４１は、様々な方法で設計することができる。たとえば放射誘導デバイス５４１は、導くべき放射のタイプに応じて、単純な光ファイバであっても、あるいは適切な他のデバイスであってもよい。別法としては、放射ビームコントローラ５４２および放射源５４０が互いに統合され、第１の放射誘導デバイスが提供されない場合もある。
【００９７】
[00106]  放射ビームコントローラ５４２は、前記第２の放射ビームを少なくとも前記光学エレメントの表面領域に導くように構成することができる。この表面領域は、使用中、前記第１の放射ビームＰＢを受け取っている。したがって、モニタシステム５１０を使用している間、リソグラフィプロセスの間に第１の放射ビームＰＢを受け取る表面領域の汚染をモニタすることができる。たとえば、前記放射ビームコントローラ５４２は、第２の放射ビーム５４３を光学エレメントＰＳＭのミラー表面に導くように構成することができる。
【００９８】
[00107]  放射ビームコントローラ５４２は、前記第２の放射ビームで前記光学エレメントＰＳＭの複数の表面部分をスキャンするように構成されたスキャンデバイス５４８を備えることができる。図７には、二重矢印ｘでスキャン方向が概略的に示されている。たとえば、当業者には明らかなように、複数の表面部分が二次元スキャンパターン内に位置するよう、直交する２つの軸に沿って第２のビーム５４３で光学エレメントＰＳＭの表面をスキャンすることにより、様々なスキャン方向を提供することができる。
【００９９】
[00108]  スキャンデバイスは、様々な方法で構成することができる。スキャンデバイスは、たとえば１つまたは複数の制御可能ミラー、可動ビーム誘導器または適切な他のデバイスを備えることができる。図７に示す実施形態では、スキャンデバイスは、第２の放射ビーム５４３で光学エレメントＰＳＭの所望の表面部分をスキャンするために移動させることができる、たとえば光ファイバである第２の放射誘導デバイス５４１を備えている。たとえば、リソグラフィの間、第１の放射ビームＰＢが前記光学エレメントの第１の表面領域を照射する場合、前記放射ビームコントローラ５４２は、第２の放射ビーム５４３で少なくとも光学エレメントＰＳＭの前記第１の表面領域をスキャンするように構成することができる。
【０１００】
[00109]  少なくとも１つのディテクタ５４７は、様々な方法で構成することができる。たとえばディテクタ５４７は、電流を受け取るために前記光学エレメントＰＳＭに電気接続することができる。たとえば、電流ディテクタ５４７と光学エレメントＰＳＭとの間の電気接続は、適切な配線、電流掛算器および／または適切な他の電気接続手段を備えることができる。別法としては、電流ディテクタ５４９は、前記光学エレメントの前記複数の表面部分５４５が前記第２の放射ビームを受け取ると、前記光学エレメントの前記複数の表面部分５４５の各々から放出される二次電子を前記光学エレメントＰＳＭから受け取るように構成することができる。また、本発明の一実施形態では、測定プロセスで生成される電界に対する測定の感度を鈍くし、かつ、二次電子の放出をより有効にするために、光学エレメントＰＳＭの上方に電界を生成することができる。
【０１０１】
[00110]  モニタシステム５１０は、前記少なくとも１つのディテクタによって測定される電流の偏差または変化を検出するように構成された少なくとも１つのプロセッサ５４６を備えることができる。また、プロセッサ５４６は、測定結果を処理および／または記憶するように構成することも可能である。測定結果には、前記第２の放射ビームが前記光学エレメントの前記少なくとも１つの表面部分に導かれている間に前記ディテクタによって測定される電流、および前記光学エレメントの前記表面部分の個々の位置が含まれている。
【０１０２】
[00111]  図７に示す実施形態の場合、前記様々な機能を単一のプロセッサ５４６に組み込むことができる。複数のプロセッサを備えることによって異なる操作を実行し、かつ／または異なる機能を提供することができることは、当業者には明らかであろう。このようなプロセッサ４５６の各々は、様々な方法で構成することができる。特定の操作および／または機能を提供するためのプロセッサ５４６上で走るように構成されたコンピュータコード部分を備えたコンピュータプログラム製品を提供することができる。さらに、一実施例として、前記電流ディテクタ５４７およびプロセッサ５４６を互いに統合することも可能である。
【０１０３】
[00112]  光学エレメントＰＳＭの汚染をモニタするための方法によれば、使用中、前記光学エレメントＰＳＭの複数の表面部分５４５に第２の放射ビーム５４３を連続的に投影し、電気モニタ電流をエレメントＰＳＭに生成することができる。
【０１０４】
[00113]  第２の放射ビーム５４３を使用して、前記ビームコントローラ５４２によって前記光学エレメントの少なくとも一部をスキャンし、複数の表面部分の汚染をモニタすることができる。また、この実施形態では、第２のビーム５４３は、前記基板Ｗに投影されない。
【０１０５】
[00114]  たとえば、汚染をモニタするための方法は、基板のターゲット部分に第１の放射ビームＰＢを投影する、少なくとも１つの光学エレメントＰＳＭを備えた投影システムを提供するステップを含むリソグラフィデバイス製造方法の一部であってもよい。
【０１０６】
[00115]  たとえば、前記第１の放射ビームＰＢは、リソグラフィプロセスの間、前記光学エレメントＰＳＭの第１の表面領域を照明することができる。前記光学エレメントＰＳＭの第２の表面領域は、汚染モニタリングの間、前記第２の放射ビーム５４３によって照明される。一実施形態では、前記第２の表面領域は、たとえば表面汚染の位置をピンポイントで突き止めるために、前記第１の表面領域の微小セクションであってもよい。
【０１０７】
[00116]  また、前記第２の放射ビーム５４３は、前記リソグラフィプロセスの間、前記第１の放射ビームＰＢを受け取る表面領域と同じ光学エレメントＰＳＭの表面領域を少なくともスキャンすることができる。
【０１０８】
[00117]  第２の放射ビームによる光学エレメントＰＳＭのスキャンは、様々な時点で実行することができ、たとえば光学エレメントＰＳＭを使用してリソグラフィ投影プロセスを実行する前および／または実行した後に実行することができる。たとえば放射源ＳＯが、パルス化された第１の放射ビームを放出するパルス放射源である場合、第２の放射ビームによる光学エレメントＰＳＭのスキャンは、第１の放射ビームのパルスが光学エレメントＰＳＭに投影される期間と期間との間に実行することができる。第１および第２の放射ビームのパルスは、たとえば、使用中、互いに同期が外れていてもよい。また、第２の放射ビーム５４３による光学エレメントＰＳＭのスキャンは、光学エレメントＰＳＭを洗浄するための洗浄プロセス、たとえば光学エレメントＰＳＭから炭素汚染を除去するための洗浄プロセスの前、洗浄プロセスの間、および／または洗浄プロセスの後に実行することも可能である。
【０１０９】
[00118]  汚染をモニタする方法を実行している間、光電効果を使用して単純に光学エレメントＰＳＭに電流を生成することができる。本発明には、物質に光子を照明すると電子が放出されることが利用されている。これは、量子収量、物質の吸光度および物質の近傍の電界によって決まることは当業者には明らかであろう。たとえば、光学エレメントＰＳＭを照射すると、光学エレメントＰＳＭの表面部分５４５の最上部の数ナノメートルの部分から電子が放出される。生成される電子の数は、光子を吸収する量で決まり、光子を吸収する量は、光学エレメントＰＳＭの表面に存在する物質のタイプで決まる。光学エレメントの表面は、たとえばルテニウム、イリジウム、ケイ素、モリブデン、ロジウム、パラジウム、金、ジルコニウム、ニオブまたは適切な他の物質を含むことができる。
【０１１０】
[00119]  図７に示す実施形態を使用している間、電流ディテクタ５４７によって前記電気モニタ電流が測定される。モニタ電流は、光学エレメントＰＳＭに流れる総電流であってもよい。モニタ電流には、前記光学エレメントの前記複数の表面部分５４５が前記第２の放射ビームを受け取ると、前記光学エレメントの前記複数の表面部分５４５の各々から放出される二次電子流が含まれている。次に、前記プロセッサ５４６によって、少なくとも、前記第２の放射ビーム５４３が前記光学エレメントの前記表面に導かれている間に測定されるモニタ電流の測定結果、および前記光学エレメントの個々の表面部分の測定結果が処理および／または記憶される。
【０１１１】
[00120]  また、前記プロセッサ５４６を使用して、モニタ電流の偏差または変化を検出することができる。図８Ａおよび８Ｂは、このような偏差を示したものである。図８Ａおよび８Ｂには、第２の放射ビーム５４３と光学エレメントＰＳＭの表面が交差するスキャン位置ｘを関数とした検出モニタ電流Ｉが示されている。
【０１１２】
[00121]  一例として、使用中、第２の放射ビーム５４３は、エネルギーが約３０ｅＶの光子ビームであり、光学エレメントＰＳＭの表面の材料は、実質的にルテニウムからなっている。図９は、物質Ｓｉ、Ｃ、Ｒｕ、ＲｕＯ２およびＳｉＯ２に対するエネルギーを関数とした光子吸収の依存性を示したものである。図９から、光学エレメントＰＳＭの表面が実質的にＲｕを含有し、かつ、光子エネルギーが約３０ｅＶである場合、光学エレメントＰＳＭの表面の炭素汚染によって光子の吸収が減少し、したがって電子の放出が減少することが分かる。Ｒｕ表面が少しでも（ＲｕＯ２に）酸化すると光子の吸収が増加し、したがって電子の放出が増加する（同じ光子エネルギーで）。
【０１１３】
[00122]  図８Ａに示す検出結果によれば、モニタ電流Ｉは、光学エレメントＰＳＭの特定の表面位置ｑ１で増加している。以上の説明および図９から、この電流の増加は、光学エレメントＰＳＭの表面の局部酸化によるものであることが分かる。
【０１１４】
[00123]  図８Ｂに示す結果によれば、モニタ電流Ｉは、光学エレメントＰＳＭの特定の表面位置ｑ２で減少している。以上の説明および図９から、この電流の減少は、光学エレメントＰＳＭの表面の局部炭化によるものであることが分かる。
【０１１５】
[00124]  本発明の一態様では、光学エレメントＰＳＭの特定のタイプの劣化／汚染、たとえば光学系表面の炭化または酸化のいずれかによる劣化が検出されると、適切なアクションを取ることができる。たとえば、局部的に検出された汚染を局部洗浄処理することができ、かつ／または汚染された光学エレメントＰＳＭを除去または交換することができる。したがって、投影システム全体の望ましくない透過率の損失または反射率の損失を防止することができ、あるいは早い段階で検出することができる。
【０１１６】
[00125]  たとえば、投影システムの各個々の光学エレメントの劣化をモニタし、たとえば交換または洗浄する必要のある光学エレメントを決定することができる。そのために、リソグラフィ装置は、１つまたは複数の汚染モニタ装置を備えることができる。
【０１１７】
[00126]  本発明の一態様では、光学エレメントの微小部分を照明し、それによって生じる電流を測定することによって局部情報を得ることができる。たとえば、以上の説明から分かるように、表面をスキャンし、電流を測定することにより、表面の劣化が炭化によるものであるか、あるいは酸化によるものであるかの情報が提供される。一実施形態では、光子のエネルギーが、仕事関数に打ち勝ち、延いては表面を離れるだけの十分なエネルギーを有する電子を提供するだけの大きさのエネルギーであることを条件として、任意の波長の光を使用して光学エレメントの表面をスキャンすることができる。一例として、ミラーが局部的に汚染されたと仮定し、かつ、３０ｅＶの光で汚染領域をスキャンすると仮定する。表面のきれいな領域から汚染された領域までスキャンすることにより、得られる電流が変化する。電流が減少すると、それは表面が炭化していることを意味している。電流が増加すると、それは酸化を表している。この方法は、炭素を洗浄している間も適用することができる。
【０１１８】
[00127]  本明細書においては、とりわけＩＣの製造におけるリソグラフィ装置の使用について具体的に言及しているかもしれないが、本明細書において説明したリソグラフィ装置は、集積光学システム、磁気ドメインメモリのための誘導および検出パターン、フラットパネルディスプレイ、液晶ディスプレイ（ＬＣＤ）、薄膜磁気ヘッド等の製造などの他のアプリケーションを有していることを理解されたい。このような代替アプリケーションのコンテキストにおいては、本明細書における「ウェーハ」または「ダイ」という用語の使用はすべて、それぞれより一般的な「基板」または「ターゲット部分」という用語の同義語と見なすことができることは当業者には理解されよう。本明細書において参照されている基板は、たとえばトラック（通常、基板にレジストの層を付け、かつ、露光済みのレジストを現像するツール）、メトロロジーツールおよび／またはインスペクション中で、露光前または露光後に処理することができる。適用可能である場合、本明細書における開示は、このような基板処理ツールおよび他の基板処理ツールに適用することができる。また、基板は、たとえば多層ＩＣを生成するために複数回にわたって処理することができるため、本明細書において使用されている基板という用語は、処理済みの複数の層が既に含まれている基板を指している場合もある。
【０１１９】
[00128]  また、本発明による実施形態の使用について、とりわけ光リソグラフィのコンテキストの中で具体的に言及しているかもしれないが、本発明は、他のアプリケーション、たとえばインプリントリソグラフィに使用することができ、コンテキストが許容する場合、光リソグラフィに限定されないことは理解されよう。インプリントリソグラフィの場合、基板に生成されるパターンは、パターニングデバイスのトポグラフィによって画定される。パターニングデバイスのトポグラフィが、基板に供給されているレジストの層にプレスされ、次に、レジストを硬化させるべく、電磁放射、熱、圧力またはそれらの組合せが印加される。レジストが硬化すると、パターニングデバイスがレジストから除去され、後にパターンが残される。
【０１２０】
[00129]  本明細書に使用されている「放射」および「ビーム」という用語には、紫外（ＵＶ）放射（たとえば３６５ｎｍ、３５５ｎｍ、２４８ｎｍ、１９３ｎｍ、１５７ｎｍまたは１２６ｎｍの波長あるいはその近辺の波長の放射）および極端紫外（ＥＵＶ）放射（たとえば２０ｎｍ未満の波長の放射）、ならびにイオンビームまたは電子ビームなどの粒子線を含むあらゆるタイプの電磁放射が包含されている。
【０１２１】
[00130]  コンテキストが許容する場合、「レンズ」という用語は、屈折光学コンポーネント、反射光学コンポーネント、磁気光学コンポーネント、電磁光学コンポーネントおよび静電光学コンポーネントを含む様々なタイプの光学コンポーネントのうちの任意の１つまたは組合せを意味している。
【０１２２】
[00131]  以上、本発明の特定の実施形態について説明したが、説明した以外の方法で本発明を実践することができることは理解されよう。たとえば本発明は、上で開示した方法を記述した１つまたは複数の機械読取可能命令シーケンスを含んだコンピュータプログラムの形態を取ることができ、あるいはこのようなコンピュータプログラムを記憶したデータ記憶媒体（たとえば半導体記憶装置、磁気ディスクまたは光ディスク）の形態を取ることができる。
【０１２３】
[00132]  以上の説明は例示を意図したものであり、本発明を制限するものではない。したがって、特許請求の範囲に示す各請求項の範囲を逸脱することなく、上で説明した本発明に改変を加えることができることは当業者には明らかであろう。
【０１２４】
[00133]  また、上で説明し、図に示し、かつ／または特許請求の範囲に示されている異なる実施形態の様々な組合せが可能である。たとえば、図２〜６のいずれかによる、あるいは図２〜６のいずれかに類似した１つまたは複数の実施形態は、図７による、あるいは図７に類似した実施形態と組み合わせて使用することも可能である。
【図面の簡単な説明】
【０１２５】
【図１】[0021]本発明の一実施形態によるリソグラフィ装置を示す図である。
【図２】[0022]汚染モニタデバイスの第１の実施形態を示す略図である。
【図３】[0023]汚染モニタデバイスの第２の実施形態を示す略図である。
【図４】[0024]汚染モニタデバイスの第３の実施形態を示す略図である。
【図５】[0025]汚染モニタデバイスの第４の実施形態を示す略図である。
【図６】[0026]汚染モニタデバイスの第５の実施形態を示す略図である。
【図７】[0027]本発明の第６の実施形態を示す図である。
【図８Ａ】[0028]測定結果を示す略図である。
【図８Ｂ】[0028]測定結果を示す略図である。
【図９】[0029]異なる材料の光子エネルギーを関数とした光子吸収断面積を示すグラフである。
【図１】
0004509094.tif 000002
【図２】
0004509094.tif 000003
【図３】
0004509094.tif 000004
【図４】
0004509094.tif 000005
【図５】
0004509094.tif 000006
【図６】
0004509094.tif 000007
【図７】
0004509094.tif 000008
【図８Ａ】
0004509094.tif 000009
【図８Ｂ】
0004509094.tif 000010
【図９】
0004509094.tif 000011